(57)【要約】【課題】動きのはやい小さな画像と動きの遅い大きな画像を表示することが可能なような動画像伝送装置を提供することを目的としている。また、２種類の符号化した画像データを伝送できるようにし、受信側にて２種類の画像を同時に表示することを目的としている。そして、受信局側でみている人間が細かな内容を見る場合は大きな画像を見て、動きを重視して見たい場合は小さな画像を見ることができ、利便性を向上させることを目的としている。【解決手段】動画像を入力し、入力される動画像を符号データに符号化する複数の符号化回路２，４と、上記複数の符号化回路２，４により符号化された符号データを入力し、入力された符号データを伝送する回線制御回路３とを備えたことを特徴とする。【選択図】        図１
2004193889.tif 000002
【特許請求の範囲】
【請求項１】
動画像を入力し、入力される動画像を符号データに符号化する複数の符号化部と、
上記複数の符号化部により符号化された符号データを入力し、入力された符号データを伝送する伝送部と
を備えたことを特徴とする動画像伝送装置。
【請求項２】
上記動画像伝送装置は、さらに、動画像を入力する複数の入力部を備え、
上記複数の符号化部の各符号化部は、上記複数の入力部のいずれかの入力部からそれぞれ動画像を入力することを特徴とする請求項１記載の動画像伝送装置。
【請求項３】
上記動画像伝送装置は、さらに、上記複数の入力部のいずれかの入力部と上記複数の符号化部のいずれか符号化部とを接続する接続部を備え、
上記上記複数の符号化部の各符号化部は、上記接続部により接続された入力部から動画像を入力することを特徴とする請求項２記載の動画像伝送装置。
【請求項４】
動画像を入力し、入力される動画像を符号データに符号化する複数の符号化工程と、
上記複数の符号化工程により符号化された符号データを入力し、入力された符号データを伝送する伝送工程と
を備えたことを特徴とする動画像伝送方法。
【発明の詳細な説明】
【０００１】
【発明の属する技術分野】
この発明は、動画像を符号化し伝送する装置に関するものである。
【０００２】
【従来の技術】
動画像と静止画像を送受信できる画像伝送装置において、受信側で受信する画像を自由に切り換えられるようにすること。また、受信した２種類の画像を同時に表示できるようにすることを目的として、以下のような手段が公知となっている。静止画送信処理部，動画送信処理部，送信データの切り換えスイッチ，受信データの切り換えスイッチ，静止画受信処理部，動画受信処理部，画像合成部などを設け、受信側の指示に従い、静止画を送信しながら動画を受信したり、動画を送信しながら静止画を受信する。また、画像合成部によって、受信した静止画と動画を合成して同時に表示させる。（例えば特許文献１参照）
【０００３】
【特許文献１】
特開平９−１２１３３３号公報
【特許文献２】
特開平６−１１３２９４号公報
【０００４】
【発明が解決しようとする課題】
従来の画像伝送装置では動画符号化回路と静止画符号化回路をもち、切り替えて伝送しているため、動画を２つ伝送することができなかった。
そして、特許文献１における従来技術でも、従来画像の符号化伝送の際ひとつの符号化器で符号化されたデータを伝送するかまたは二つの符号化器を持った場合も切り替えて伝送されている。
【０００５】
この発明は、動きのはやい小さな画像と動きの遅い大きな画像を表示することが可能なような動画像伝送装置を提供することを目的としている。
【０００６】
【課題を解決するための手段】
この発明に係る動画像伝送装置は、動画像を入力し、入力される動画像を符号データに符号化する複数の符号化部と、
上記複数の符号化部により符号化された符号データを入力し、入力された符号データを伝送する伝送部と
を備えたことを特徴とする。
【０００７】
【発明の実施の形態】
実施の形態１．
図１は、実施の形態１による動画像伝送装置を説明するためのブロック図である。
図１において、動画像伝送装置は、ビデオ入力回路１、符号化回路２、回線制御回路３、符号化回路４を備えている。ここで符号化回路２と符号化回路４は同一のフォーマット（たとえばＪＰＥＧ）でも、異なるフォーマット（たとえばＪＰＥＧとＭＰＥＧ４）でもよい。
複数の符号化部の一例として符号化回路２，４は、動画像を入力し、入力される動画像を符号データに符号化する。
伝送部の一例として回線制御回路３は、上記複数の符号化部の一例である符号化回路２，４により符号化された符号データを入力し、入力された符号データを伝送する。
図１の動作について説明する。
ビデオ入力回路１の信号は符号化回路２、符号化回路４に入力され、それぞれ符号化される。こうして別々に符号化された２種類の画像データは回線制御回路３により処理され伝送される。伝送路はＬＡＮ等がある。この物理的な回線は１本でも２本でも良い。
また符号化データは回線上で別々に伝送してもよく、また多重して伝送しても良い。
ここで符号化回路は２つ設けたが２つ以上でもさらに沢山の画像を同時に見ることができるため同様以上の効果を得ることができる。
【０００８】
図２は、本画像伝送装置の出力を受信した受信装置での表示イメージを示す図である。
図２において、モニタ画面上に２つの動画を表示する。
本動画像伝送装置においては、符号化回路２と、符号化回路４を設けることにより２種類の符号化画像を同時に伝送するようにしたものである。すなわち、動画像伝送装置は、入力される映像を２つの符号化器により符号化し、そのデータを伝送することを特徴とする。
本実施の形態では、２つの符号化器を設け、そのまま伝送するため２つの動画を伝送することが可能となり受信画像監視者の利便性を向上させることができる。
【０００９】
実施の形態２．
図３は、実施の形態２における構成を示す図である。
図３において、動画像伝送装置は、動画像伝送装置は、複数の入力部の一例であるビデオ入力回路１と、さらに、動画像を入力する複数の入力部の一例であるビデオ入力回路５を備えている。
上記複数の符号化部の一例である符号化回路２，４の各符号化部は、上記複数の入力部の一例であるビデオ入力回路１，５のいずれかの入力部からそれぞれ動画像を入力する。図１においてはビデオ入力回路はひとつであるが２つ設けて別々に符号化してもよく、この場合の構成を図３に示している。
図３の構成によれば、同一の入力を行えば図１と同様の効果がえられ、また別々の映像を入力した場合これを同時に見ることができるという効果がある。
【００１０】
以上のように、実施の形態２における動画像伝送装置は、ビデオ入力回路を２つ持ち、２つの符号化器により符号化し、そのデータを伝送することを特徴とする。
【００１１】
実施の形態３．
図４は、実施の形態３における構成を示す図である。
図４において、動画像伝送装置は、さらに、図３における上記複数の入力部の一例であるビデオ入力回路１，５のいずれかの入力部と上記複数の符号化部の一例である符号化回路２，４のいずれかの符号化部とを接続する接続部の一例としてマトリクススイッチャを備えている。
上記複数の符号化部の一例である符号化回路２，４の各符号化回路は、上記接続部の一例であるマトリクススイッチャにより接続された入力部の一例であるビデオ入力回路１，５のいずれかから動画像を入力する。
以上のように、図４は、図３ではビデオ入力と符号化器が直結であるが、間にマトリクススイッチャを入れることにより符号化器とビデオ入力回路を任意に接続して符号化できるようにしたものを示している。図４の構成によれば図３の効果に加え符号化内容と入力の組み合わせを任意に選択できる効果が得られる。
【００１２】
以上のように、本実施の形態における動画像伝送装置は、ビデオ入力回路、符号化器をそれぞれふたつずつもち、マトリクススイッチャを備え、マトリクススイッチャにて選択したのち符号化し、伝送することを特徴とする。
【００１３】
【発明の効果】
以上のように、この発明によれば、２種類の符号化した画像データを伝送できるようにしたので、受信側にて２種類の画像を同時に表示することができる。
このため受信局側でみている人間が細かな内容を見る場合は大きな画像を見て、動きを重視して見たい場合は小さな画像を見ることができ、利便性が向上する効果がある。
【図面の簡単な説明】
【図１】実施の形態１による動画像伝送装置を説明するためのブロック図である。
【図２】本画像伝送装置の出力を受信した受信装置での表示イメージを示す図である。
【図３】実施の形態２における構成を示す図である。
【図４】実施の形態３における構成を示す図である。
【符号の説明】
１  ビデオ入力回路、２  符号化回路、３  回線制御回路、４  符号化回路、５  ビデオ入力回路、６  マトリクススイッチャ。
【図１】
2004193889.tif 000003
【図２】
2004193889.tif 000004
【図３】
2004193889.tif 000005
【図４】
2004193889.tif 000006